(57)【特許請求の範囲】
【請求項１】
建築物の外壁の軒裏天井材との突き合わせ部分に取り付けられて、前記軒裏天井材の端部を支持する見切り縁であって、
換気孔を設けた下面部とその一端側から上方に立ち上がる支持部とから横断面Ｌ字状に形成されると共に、建築物の外壁に沿う方向に延長されて前記支持部を介して前記外壁に取り付けられる見切り縁本体と、
野縁の端部を支持する台座部を有し、前記見切り縁本体と係合され、前記軒裏天井材の端部を挟み込んだ状態で、かつ軒裏天井材の端部を前記見切り縁本体の下面部と支持部との間にそれぞれ間隙をあけて支持する取付具とを備え、
前記見切り縁本体の支持部には、その上下端部に支持部の長手方向に沿う係合溝が設けられ、また、前記取付具の台座部には、その一端部に上下方向に向けた係合部が設けられ、前記係合溝に係合部が嵌合されて前記取付具が前記見切り縁本体に対し見切り縁本体の長手方向に沿って移動可能に係合され、
前記取付具の台座部には、少なくとも一方の側部に前記野縁の側面に当接して該野縁の建築物の外壁側における端部を位置決めするストッパーが設けられていることを特徴とする見切り縁。
【請求項２】
前記見切り縁本体が合成樹脂によって形成されていることを特徴とする請求項１記載の見切り縁。
【請求項３】
前記取付具には、その台座部の下方であって前記係合部の下端より上方の位置で該係合部に結合され台座部と平行に延長されている着座部が設けられ、該着座部と前記台座部とにより前記軒裏天井材の端部が挟まれて支持されていることを特徴とする請求項１または２記載の見切り縁。
【請求項４】
前記見切り縁本体の下面部には、その他端側に該下面部から所定高さ立ち上げられ見切り縁本体の長手方向に沿って延長されている前面部が設けられており、該前面部の上端が前記取付具の着座部の先端部に係合されていることを特徴とする請求項１〜３のいずれかに記載の見切り縁。
【請求項５】
前記見切り縁本体の換気孔は、前記下面部の他端側に設けられており、前記取付具は、前記軒裏天井材の端部を前記換気孔の位置より見切り縁本体の支持部側に寄った位置に挿入した状態で支持することを特徴とする請求項１〜４のいずれかに記載の見切り縁。
【請求項６】
前記見切り縁本体の換気孔は、前記下面部の他端側において下面部の幅方向および長手方向の略全域にわって設けた多数個の貫通孔から構成されていることを特徴とする請求項１〜５のいずれかに記載の見切り縁。
【請求項７】
前記取付具は、着座部と台座部との間隔が前記軒裏天井材の厚さに応じて種々に設定されたものが用意され、それらのうち支持する軒裏天井材の厚さに対応するものが選択されて、前記見切り縁本体に係合されていることを特徴とする請求項４〜６のいずれかに記載の見切り縁。
【発明の詳細な説明】
【０００１】
【発明の属する技術分野】
本発明は、住宅等の建築物の外壁と軒裏天井材との境に周設される見切り縁に関するも
【０００２】
【従来の技術】
従来、軒裏天井の施工方法としては、図７に示すように、鼻隠し下地材１と縦胴縁２に固定された野縁受け３に野縁４を設置し、この野縁４に軒裏天井材５を固定し、縦胴縁２とサイディング６とよりなる建築物の外壁７と軒裏天井材５との境に見切り縁８を設けたものが知られている。
そして、軒裏天井に換気孔を設ける場合には、先ず換気孔の大きさに合わせて下地を組み込み、該下地に軒裏天井材を釘等で固定した後、換気孔の位置に合わせて軒裏天井材を切断したり、あるいは、予め所要個所を切断した軒裏天井材を下地に釘等で固定し、その後、換気孔の端部を仕上げ処理することが行われている。
また、軒裏天井部分に額縁状の換気見切り縁を設ける場合には、予め天井支持用の下地に額縁状の換気見切り縁を取り付け、その後、換気見切り縁部分を残して他の部分を覆うように軒裏天井材を前記下地に釘等で固定することも行われている。
【０００３】
【発明が解決しようとする課題】
しかしながら、従来の施工方法にあっては、軒裏天井に換気孔を設ける場合には、換気孔を設ける個所の周囲の下地材を補強したり、一旦、軒裏天井材を貼り付けた後に該軒裏天井材を切断したり、あるいは、予め天井支持用の下地に額縁状の換気孔を設けるために面倒な付随作業が必要であった。
また、軒裏天井部分に額縁状の換気見切り縁を設ける場合には、該換気見切り縁を縦胴縁２側に設けようとすると、見切り縁８の上方に野縁受け３があるため、これが邪魔になり、前記見切り縁８に換気孔を設けても、通気が野縁受け３により遮断されていまい、軒裏側へ通気することができない。
【０００４】
そこで、図８に示すように、見切り縁８ａを軒先側に長く突き出して野縁受け３の外側になる位置に通気孔９を配置することも考えられるが、このようにすると、縦胴縁２（サイディング６）から外側に広く間隔をあけたところで軒裏天井材５を支持しなければならず、縦胴縁２側（軒元側）の軒下の仕上がり後の外観が悪くなる。また、野縁受け３を必要としその取り付け作業が煩雑である等の問題があった。
【０００５】
本発明は、上記事情に鑑みてなされたものであって、軒裏天井部分に換気孔を容易に設けることができ、野縁受けを不要として軒裏天井材の施工が簡単に行えると共に、軒裏天井部分の仕上がり外観を良好にできる構成が簡単で軒裏換気が確実に行える見切り縁を提供することを目的とする。
【０００６】
【課題を解決するための手段】
本発明は、前記課題を解決するために、以下の点を特徴としている。すなわち、請求項１に係る見切り縁は、建築物の外壁の軒裏天井材との突き合わせ部分に取り付けられて、前記軒裏天井材の端部を支持する見切り縁であって、換気孔を設けた下面部とその一端側から上方に立ち上がる支持部とから横断面がＬ字状に形成されると共に、建築物の外壁に沿う方向に延長されて前記支持部を介して前記外壁に取り付けられる見切り縁本体と、野縁の端部を支持する台座部を有し、前記見切り縁本体と係合され、前記軒裏天井材の端部を挟み込んだ状態で、かつ軒裏天井材の端部を前記見切り縁本体の下面部と支持部との間にそれぞれ間隙をあけて支持する取付具とを備え、前記見切り縁本体の支持部には、その上下端部に支持部の長手方向に沿う係合溝が設けられ、また、前記取付具の台座部には、その一端部に上下方向に向けた係合部が設けられ、前記係合溝に係合部が嵌合されて前記取付具が前記見切り縁本体に対し見切り縁本体の長手方向に沿って移動可能に係合され、前記取付具の台座部には、少なくとも一方の側部に前記野縁の側面に当接して該野縁の建築物の外壁側における端部を位置決めするストッパーが設けられていることを特徴とする。
【０００７】
前記見切り縁では、見切り縁本体の下面部に換気孔が設けられていること、また、見切り縁本体に係合した取付具によって軒裏天井材の端部が見切り縁本体の下面部と支持部との間にそれぞれ間隙をあけて支持されることから、見切り縁本体と軒裏天井材との間に換気通路が形成され、この換気通路を介して軒裏部分の換気が行われる。また、軒裏天井材はその端部が前記取付具によって支持されるので、その分軒裏天井材の支持強度が増し、さらに、野縁はその端部が前記取付具の台座部によって支持されるので、野縁受けを建築物の外壁に設ける必要がなく、軒裏天井の施工が容易となる。また、取付具が前記見切り縁本体に対し見切り縁本体の長手方向に沿って移動可能に係合されているので、取付具を移動させることにより軒裏天井材や野縁の固定位置および固定個数を、使用する軒裏天井材や野縁の寸法、個数に応じて自由に設定する。また、この見切り縁では、前記野縁を取付具に固定する際、前記ストッパーによって前記野縁の位置決めが容易になり、建築物の外壁に沿う方向における野縁の位置の設定が正確に行え、野縁の設置作業も能率良く行える。
【０００８】
請求項２に係る見切り縁は、見切り縁本体が合成樹脂によって形成されていることを特徴とする。
この見切り縁では、見切り縁本体が合成樹脂から形成されているので、軽量で運搬性および取り扱い性に優れ、錆等の腐食の心配もない。
【００１０】
請求項３に係る見切り縁は、取付具に、その台座部の下方であって係合部の下端より上方の位置で該係合部に結合され台座部と平行に延長されている着座部が設けられ、該着座部と前記台座部とにより軒裏天井材の端部が挟まれて支持されていることを特徴とする。この見切り縁では、前記取付具の着座部と台座部とにより前記軒裏天井材の端部が挟まれて支持されるので、軒裏天井材の支持強度が安定して維持される。
【００１２】
請求項４に係る見切り縁は、見切り縁本体の下面部には、その他端側に該下面部から所定高さ立ち上げられ見切り縁本体の長手方向に沿って延長されている前面部が設けられており、該前面部の上端が取付具の着座部の先端部と係合されていることを特徴とする。この見切り縁では、前記見切り縁本体の前面部が前記取付具の着座部とにより支持されるので、見切り縁はその前面側の形状が安定した状態で保持され、軒裏天井材との接合部である軒元の仕上がり外観も良くなる。
【００１３】
請求項５に係る見切り縁は、見切り縁本体の換気孔が、下面部の他端側に設けられており、取付具が、軒裏天井材の端部を前記換気孔の位置より前記見切り縁本体の支持部側に寄った位置に挿入した状態で支持することを特徴とする。この見切り縁では、前記見切り縁本体の換気孔の位置が前記軒裏天井材の端部の位置より軒先側になるため、換気孔から見切り縁本体に入った通気が軒裏天井材により建築物の縦胴縁側に向けられた後上方へ流れる屈曲された換気通路が形成される。これにより、強風時に外気が直線的に軒裏に侵入することが防止されるので、暖房時に居室の暖房負荷が増したり、強風に伴う雨水が侵入することもない。
【００１４】
請求項６に係る見切り縁は、見切り縁本体の換気孔が、下面部の他端側において下面部の幅方向および長手方向の略全域にわたって設けた多数個の貫通孔から構成されていることを特徴とする。この見切り縁では、前記見切り縁本体の換気孔が軒元の全体に連続して設けられるので、局所的に配置した換気孔のように換気むらが発生することがなく、意匠性にも優れて軒面の外観上の見栄えが良い。
【００１５】
請求項７に係る見切り縁は、取付具が、着座部と台座部との間隔が軒裏天井材の厚さに応じて種々に設定されたものが用意され、それらのうち支持する軒裏天井材の厚さに対応するものが選択されて、前記見切り縁本体に係合されていることを特徴とする。この見切り縁では、前記取付具のみを取り替えて前記見切り縁本体に係合することにより、異なる厚さの軒裏天井材を支持することができるので、前記見切り縁本体の共通化が図られ、その分、設計の簡素化並びに製作経費の削減が実現される。
【００１７】
【発明の実施の形態】
以下、本発明の実施の形態を添付図面を参照して説明する。
図１は本発明の実施の形態のおける見切り縁を用いた軒裏天井材の支持構造を示す側断面図である。図において、１０は縦胴縁１１の外側にサイディング１２が施された建築物の外壁、１３は鼻隠しであり、鼻隠し下地材１４により支持されている。１５は垂木、１６は軒裏天井材１７を支持する野縁材で、他端部が野縁受け１６ａに支持されている。１８は前記建築物の外壁１０の軒裏天井材１７との突き合わせ部分に取り付けられた見切り縁である。
【００１８】
見切り縁側１８は、前記建築物の外壁１０（具体的には縦胴縁１１）に沿って固定される見切り縁本体１９と、該見切り縁本体１９に係合され、野縁材１６と軒裏天井材１７の一端部（軒元側の端部）を支持する取付具２０とから構成されている。
前記見切り縁本体１９は、図３、図４に示すように、水平方向に向いた下面部２１と、該下面部２１の一端側（図３で右端側、すなわち建築物の外壁１０の縦胴縁１１に対向する側）に一体に結合され、そこから上方に立ち上がる支持部２２とから横断面が略Ｌ字状に形成されると共に、建築物の外壁１０に沿う方向に延長された長尺のものとして形成されている。
【００１９】
そして、前記支持部２２の上下端部には、それぞれ対向する側に向けた突起２２ａ，２２ａによって係合溝２３，２３が、支持部２２の長さ方向に沿って平行に設けられている。
また、前記下面部２１の他端側（軒先側）には、上方に向けられ前記支持部２２と平行に延長された前面部２４が一体に結合されている。該前面部２４の上端には、支持部２２の方向に突出した後下方に折曲した突条２４ａが前面部２４に一体に設けられている。さらに、前記下面部２１と前面部２４の下端との結合部２１ａは、下面部２１の下面より所定寸法だけ下方に突き出され支持部２２の長さ方向に沿った額縁状に形成されており、その内側には下面部２１の上面より下位となる凹溝２４ｂが下面部２１の長さ方向に沿って設けられている。
【００２０】
また、前記下面部２１の幅方向の中間部には、前記結合部２１ａの下方への突出し寸法と同寸法下方へ突き出した突条部２１ｂが結合部２１ａ（前面部２４）と平行に形成されている。そして、前記下面部２１における突条部２１ｂと結合部２１ａとの間の幅方向、長さ方向にわたる全体の領域には、下面部２１の長さ方向に細長い長孔（貫通孔）２５ａが多数個千鳥状に配置されてなる換気孔２５が形成されている。前記突条部２１ｂは、その支持部２２からの位置が、前記外壁１０の縦胴縁１１に沿って見切り縁本体１９が固定されたとき、前記サイディング１２の上端に係合され、軒先側の面がサイディング１２の表面と面一となる位置に設定されている。
上記構成の見切り縁本体１９は、合成樹脂の成形材によって製作されている。
【００２１】
前記取付具２０は、前述したように、建築物の外壁１０に固定される見切り縁本体１９に係合されて、野縁材１６と軒裏天井材１７の一端部（軒元側の端部）を支持するもので、図５、図６に示すように、見切り縁本体１９に嵌合する上下方向を向く係合部２６と、該係合部２６から前方へ直角に延長された台座部２７と、係合部２６から前方へ直角に突き出され前記台座部２７と平行に延長された着座部２８と、前記台座部２７の一側に結合して上方に向けて立ち上げたストッパー２９とを備えてなる。
【００２２】
前記係合部２６が前記見切り縁本体１９の係合溝２３，２３に嵌合することにより、前記取付具２０は見切り縁本体１９の長手方向に沿って移動可能に係合するようになっている。そして、取付具２０は、一つの見切り縁本体１９に対して複数個係合されていて、係合部２６と見切り縁本体１９の支持部２２とが重ね合わされた状態で、係合部２６の上下の２個所にあけた通し穴２６ａに通した止めネジ２６ｂにより、見切り縁本体１９と一緒に前記縦胴縁１１に固定されるようになっている。
【００２３】
前記着座部２８は、前記係合部２６の下端より所定高さ上方に位置しており、前記見切り縁本体１９に係合された際、見切り縁本体１９の下面部２１の上面との間に所要間隙Ｅ１が平行にあけられるようになっており、その側面には下方への折り曲げ部２８ａが設けられ、支持強度の強化が図られている。また、着座部２８の先端部には先端を上に向けたフック部３０が形成され、前記取付具２０が見切り縁本体１９に係合された際に、前記フック部３０における上方を向く溝３０ａに前記見切り縁本体１９の前面部２４の突条２４ａが係合するようになっている。その係合時には、着座部２８の上面と前記前面部２４（突条２４ａ）の上面とが面一になるように構成されている。
【００２４】
前記台座部２７には前記野縁材１６がその一端部を載置されて側面をストッパー２９に当接され、ストッパー２９に通し穴２９ａから挿入される止めネジ２９ｂにより固定されるようになっている。前記ストッパー２９は台座部２７の一側に設ける代わりに他側に設けたり、両側に設けることもできる。
前記台座部２７と着座部２８との間には軒裏天井材１７の一端部が前記係合部２６との間に間隔Ｅ２をあけて挿入され、それらの台座部２７と着座部２８とより軒裏天井材１７の一端部が取付具２０に支持されるようになっているが、軒裏天井材１７の厚さ寸法には種々のものがあるので、その厚さ寸法（例えば、５ｍｍ，８ｍｍ，１１ｍｍ）に対応させて着座部２８に対する台座部２７の位置を変えることにより、台座部２７と着座部２８との間隔を種々に設定した複数の取付具２０を用意し、それらのうち使用する軒裏天井材１７の厚さ寸法に合ったものを選択して、前記見切り縁本体１９に係合して使用するようになっている。
【００２５】
前記係合部２６と軒裏天井材１７の一端部との間の間隔Ｅ２は、軒裏天井材１７の端部が台座部２７と着座部２８との間に挿入されたとき、該端部が前記見切り縁本体１９の換気孔２５の位置より奥部（縦胴縁１１側）へ寄っている状態で形成され、通気が十分に行われるものであればよく、特にその大きさは限定されない。
なお、前記台座部２７と着座部２８は平板状になっており、それらの間に挿入される軒裏天井材１７の端部を位置決めするものがないが、台座部２７と着座部２８の対向する面に互いに向き合う方向へ突出する突条を、前記換気孔２５の位置より奥部に設けると、軒裏天井材１７の端部をそれらの突条に当接させて位置決めすることができ、前記間隔Ｅ２の設定が容易にできる。
上記取付具２０は、ステンレス鋼板をプレス加工によって折り曲げて一体に形成されている。
【００２６】
次に、上記見切り縁１８を用いた軒裏天井の施工方法について説明する。
先ず、支持しようとする軒裏天井材１７に対応した大きさの取付具２０を見切り縁本体１９に係合した見切り縁１８を用意し、これを建築物の外壁１０に沿って側方へ延びるように取り付ける。
このとき、取付具２０を、その係合部２６を利用して見切り縁本体１９の溝２３，２３に沿わせて、見切り縁本体１９の長さ方向の適宜位置に移動させる。そして、取付具２０の係合部２６と見切り縁本体１９の支持部２２とを重ね合わせた状態で、係合部２６の通し穴２６ａ，２６ａから挿入した止めネジ２６ｂを用いて共締めすることにより、取付具２０および見切り縁本体１９を縦胴縁１１に固定する。
【００２７】
なお、取付具２０は見切り縁本体１９に対して着脱自在であるので、予め見切り縁本体１９に使用しようとする取付具２０と異なる取付具が取り付けられている場合には、一旦その異なる取付具を取り外し、適当な大きさの取付具２０に取り替える。このとき、一つの見切り縁本体１９に取り付ける取付具２０の個数も任意に選択できる。
次いで、軒先側の野縁受け１６ａに支持した野縁１６の軒元側の端部を取付具２０の台座部２７の上に載置した後、該端部の側面をストッパー２９に当接して見切り縁１８の長手方向における野縁１６の位置決めを行い、通し穴２９ａから挿入した止めネジ２９ｂを用いて野縁１６の軒元側の端部を台座部２７に固定する。
【００２８】
次に、軒裏天井材１７の軒元側の端部を取付具２０の台座部２７と着座部２８との間に挿入することにより軒裏天井材１７の軒元側の端部を見切り縁１８に支持する。このとき、軒裏天井材１７の軒元側の端部が取付具２０の係合部２６（見切り縁本体１９の支持部２２）との間に間隔Ｅ２があけられるようにする。
次に、軒元側の端部を見切り縁１８に支持して水平にされた軒裏天井材１７の軒先側の端部を、鼻隠し１３の凹部１３ａに係合させた状態とし、釘やビス１７ａ等の固定手段によって鼻隠し下地材１４や野縁受け１６ａに固定する。あるいは、図１の鎖線で示すように、Ｌ字状の止め金具１７ｂを利用して鼻隠し１３に固定する。
【００２９】
上記の軒裏天井の構造によれば、見切り縁本体１９に換気孔２５が形成されていること、また、取付具２０によって軒裏天井材１７の軒元側の端部が見切り縁本体１９の下面部２１と支持部２２との間にそれぞれ間隔Ｅ１，Ｅ２をあけて支持されることから、見切り縁本体１９と軒裏天井材１７との間に、図２に示すように、換気孔２５から上に向かって間隙Ｅ１に入った通気が軒裏天井材１７の軒元側の端部で縦胴縁１１側へ水平に屈曲されて、間隙Ｅ２から上方へ流れる屈曲された換気通路Ｙが形成され、この換気通路Ｙを介して軒裏部分の換気が行うことができる。
【００３０】
また、上記換気は、見切り縁本体１９の下面部２１に形成され、軒元の全域にわたり連続して設けられた換気孔２５を経て通気が導入されて行われるので、軒裏天井に局所的に配置した換気孔に比べて、換気むらのない理想的な換気が行える。
このように、見切り縁１８自体に換気機能を持たせてあるため、別途軒裏天井に換気孔を設ける必要がなく、極めて簡単な構成で軒裏換気ができる上、換気孔を形成するため、額縁状の換気孔を野縁材１６に予め取り付けたり、一旦取り付けた軒裏天井材１７の換気孔を設ける部分を切断したり、換気孔周辺の野縁材１６を補強するといった換気孔形成のための付随作業が不要になる。
また、前記見切り縁１８によれば、前記のように換気通路Ｙが屈曲して形成されているため、強風時に外気が直線的に軒裏に侵入するのを防止でき、暖房時に居室の暖房負荷が増したり、強風に伴って雨水が軒裏に侵入するのを防止することができる。
【００３１】
さらに、前記見切り縁１８によれば、軒裏天井材１７の軒元側の端部が取付具２０によって支持されるので、その分軒裏天井材１７の支持強度が増し、野縁材１６の個数を減らしたり簡素化することができる。また、野縁材１６の軒元側の端部が取付具２０の台座部２７によって支持され、ストッパー２９によって位置決めされるので、野縁材１６の建築物の外壁１０（縦胴縁１１）への取付けを、容易に、かつ正確に行うことができる上、野縁受けを建築物の外壁１０側に設ける必要がなく、野縁受けの建築物の外壁１０に対する取付工事を省略できる。
このため、前記換気孔形成のための付随作業が不要になることと併せて一層軒裏天井の施工が簡単になる。
【００３２】
また、前記見切り縁１８によれば、従来のように野縁受けに邪魔されて軒元に換気孔を設けることができない、あるいは、野縁受け部分を避けて換気孔を設けるため、見切り縁を軒先側へ伸ばして軒裏天井材を建築物の外壁１０から離して支持しなければならないといった不都合は起こらず、換気孔２５が見切り縁本体１９に一体的に設けられて軒元に配置されるため、軒裏天井に局所的に設ける換気孔に比べ、配置が目立たず、意匠性にも優れて軒面の外観上の見栄えを良くすることができる。
また、前記見切り縁１８の見切り縁本体１９は合成樹脂から形成されているので、軽量で運搬性および取り扱い性に優れて、施工作業を楽に行うことができる上に、錆等の腐食の心配もなくて寿命を長く維持でき、保守が容易である。
【００３３】
【発明の効果】
以上説明したように、本発明によれば以下の優れた効果を奏する。請求項１に係る見切り縁によれば、見切り縁本体の下面部に換気孔が設けられていること、また、見切り縁本体に係合した取付具によって軒裏天井材の端部が見切り縁本体の下面部と支持部との間にそれぞれ間隙をあけて支持されることから、見切り縁本体と軒裏天井材との間に換気通路が形成され、この換気通路を介して軒裏部分の換気を行うことができる。また、前記のように軒元の見切り縁に一体的に換気孔を設けているため、軒裏天井材に換気孔を配置する必要がなく、換気孔を有する軒裏天井の施工を簡単に行うことができると共に、軒裏天井部分の仕上がり外観も良好にできる。さらに、軒裏天井材はその端部が前記取付具によって支持されるので、その分軒裏天井材の支持強度を増すことができ、また、野縁はその端部が前記取付具の台座部によって支持されるので、野縁受けを建築物の外壁に設ける必要がなく、この点からも軒裏天井の施工を容易に行うことができる。また、取付具が見切り縁本体に対し見切り縁本体の長手方向に沿って移動可能に係合されているので、取付具の位置調整が容易になり、軒裏天井材や野縁の固定位置および固定個数を、使用する軒裏天井材や野縁の寸法、個数に応じて適切に設定することができる。また、野縁を取付具に固定する際、ストッパーによって前記野縁の位置決めが容易になり、建築物の外壁に沿う方向における野縁の位置の設定を正確に行うことができ、野縁の設置作業を能率良く行うことができる。
【００３４】
請求項２に係る見切り縁によれば、見切り縁本体が合成樹脂から形成されているので、軽量で運搬性および取り扱い性に優れて、施工作業を楽に行うことができる上に、錆等の腐食の心配もなくて寿命を長く維持でき、保守が容易である。
【００３６】
請求項３に係る見切り縁によれば、取付具の着座部と台座部とにより前記軒裏天井材の端部が挟まれて支持されるので、軒裏天井材の建築物の外壁に対する支持強度を安定して維持させることができる。
【００３８】
請求項４に係る見切り縁によれば、見切り縁本体の前面部が取付具の着座部とにより支持されるので、見切り縁はその前面の形状を安定した状態で保持することができ、軒裏天井材との接合部である軒元の仕上がり外観を一層良くすることができる。
【００３９】
請求項５に係る見切り縁によれば、換気孔から見切り縁本体に入った通気が軒裏天井材により建築物の縦胴縁側に向けられた後上方へ流れる屈曲された換気通路が形成されるので、強風時に外気が直線的に軒裏に侵入することを防止することができ、このため、暖房時に居室の暖房負荷が増したり、強風に伴う雨水が侵入するのを防止することができる。
【００４０】
請求項６に係る見切り縁によれば、見切り縁本体の換気孔が軒元の全体に連続して設けられるので、局所的に配置した換気孔のように換気むらが発生しない理想的な換気を行うことができる。また、軒裏天井に局所的に設ける換気孔に比べ、配置が目立たず、意匠性にも優れて軒面の外観上の見栄えを極めて良くすることができる。
【００４１】
請求項７に係る見切り縁によれば、取付具のみを取り替えて見切り縁本体に係合することにより、異なる厚さの軒裏天井材を支持することができるので、前記見切り縁本体の共通化を図ることができ、その分、設計の簡素化並びに製作経費の削減を実現することができる。
【図面の簡単な説明】
【図１】  本発明の実施の形態における見切り縁を用いた軒裏天井の支持構造を示す側断面図である。
【図２】  同じく建築物の外壁側における軒裏天井の支持構造を示す斜視図である。
【図３】  同実施の形態で用いられる見切り縁本体の側面図である。
【図４】  図３のイ矢視図である。
【図５】  同実施の形態で用いられる取付具の側面図である。
【図６】  図５のロ矢視図である。
【図７】  従来の軒裏天井の支持構造を示す側断面図である。
【図８】  従来の他の軒裏天井の支持構造の軒元部を示す側断面図である。
【符号の説明】
７，１０  外壁                      ２，１１  縦胴縁
４，１６  野縁                      ５，１７  軒裏天井材
８，１８  見切り縁                  １９  見切り縁本体
２０  取付具                        ２１  下面部
２２  支持部                        ２３  係合溝
２５  換気孔                        ２６  係合部
２７  台座部                        ２８  着座部
２９  ストッパー
【図１】
0004545268.tif 000002
【図２】
0004545268.tif 000003
【図３】
0004545268.tif 000004
【図４】
0004545268.tif 000005
【図５】
0004545268.tif 000006
【図６】
0004545268.tif 000007
【図７】
0004545268.tif 000008
【図８】
0004545268.tif 000009